(57)【要約】  複数の吸着筒を切り替えて使用するＰＳＡ式酸素濃縮装置に用いられる呼吸情報取得装置において、前記ＰＳＡ式酸素濃縮装置から患者に酸素が供給されている状態の酸素供給経路内の周期的な圧変動である第１圧力と、前記ＰＳＡ式酸素濃縮装置から患者に酸素が供給されない状態の前記酸素供給経路内の周期的な圧変動である第２圧力と、を計測する呼吸情報取得手段と、前記第１圧力と前記第２圧力と、の位相を合わせる位相確認手段と、前記位相を合わせた状態で、前記第１圧力と前記第２圧力と、の差分を算出する差分処理手段と、を備えた呼吸情報取得装置。
2018180392.tif 000002
【特許請求の範囲】
【請求項１】
複数の吸着筒を切り替えて使用するＰＳＡ式酸素濃縮装置に用いられる呼吸情報取得装置において、
前記ＰＳＡ式酸素濃縮装置から患者に酸素が供給されている状態の酸素供給経路内の周期的な圧変動である第１圧力と、前記ＰＳＡ式酸素濃縮装置から患者に酸素が供給されない状態の前記酸素供給経路内の周期的な圧変動である第２圧力と、を計測する呼吸情報取得手段と、
前記第１圧力と前記第２圧力と、の位相を合わせる位相確認手段と、
前記位相を合わせた状態で、前記第１圧力と前記第２圧力と、の差分を算出する差分処理手段と、
を備えた呼吸情報取得装置。
【請求項２】
前記位相確認手段は、前記第１圧力の圧変動の１周期分のデータと前記第２圧力の圧変動の１周期分のデータと、を算出して位相を合わせる手段である、呼吸情報取得装置。
【請求項３】
前記位相確認手段は、前記第１圧力と前記第２圧力のピーク圧を検出し、ピーク圧の位相を合わせる手段である、請求項１または２に記載の呼吸情報取得装置。
【請求項４】
前記酸素供給経路内に、前記ＰＳＡ式酸素濃縮装置から前記患者への酸素供給を許可または遮断する切替弁を備える、請求項１から３のいずれかに記載の呼吸情報取得装置。
【請求項５】
前記呼吸情報取得手段は微差圧センサを備え、前記酸素供給経路内の任意点と一定圧との両端で差圧を計測する、請求項１から４のいずれかに記載の呼吸情報取得装置。
【請求項６】
複数の吸着筒を切り替えて使用するＰＳＡ式酸素濃縮装置から患者に酸素が供給されている状態の酸素供給経路内の周期的な圧変動である第１圧力と、前記ＰＳＡ式酸素濃縮装置から患者に酸素が供給されない状態の前記酸素供給経路内の周期的な圧変動である第２圧力と、を計測する呼吸情報取得処理と、
前記第１圧力と前記第２圧力と、の位相を合わせる位相確認処理と、
前記位相を合わせた状態で、前記第１圧力と前記第２圧力と、の差分を算出する差分処理と、
を備えた呼吸情報取得方法。
【発明の詳細な説明】
【技術分野】
【０００１】
本発明は、ＰＳＡ式酸素濃縮装置に用いられる呼吸情報取得装置および呼吸情報取得方法に関する。
【背景技術】
【０００２】
従来、喘息、閉塞性慢性肺疾患等の呼吸器疾患患者に対するひとつとして酸素療法が行われている。これは、酸素ガスや酸素濃縮ガスを患者に吸入させる療法である。近年では、患者ＱＯＬ向上を目的に自宅や施設等で酸素吸入をする在宅酸素療法（ＨＯＴ：Ｈｏｍｅ  Ｏｘｙｇｅｎ  Ｔｈｅｒａｐｙ）が主流になってきており、酸素供給源としては酸素濃縮装置が主に使用されている。【０００３】
酸素濃縮装置とは、空気中に存在する約２１％の酸素を濃縮して排出する装置である。酸素濃縮装置の多くは圧力変動吸着式（以下、ＰＳＡ式：Ｐｒｅｓｓｕｒｅ  Ｓｗｉｎｇ  Ａｄｓｏｒｐｔｉｏｎ）が一般的に用いられる（以下、ＰＳＡ式酸素濃縮装置を単純に酸素濃縮装置と記す）。
ＰＳＡ式酸素濃縮装置では、窒素ガスを選択的に吸着する吸着剤が充填されたシリンダーに空気を取り込み、加減圧を繰り返すことで濃縮酸素ガスを生成する。この仕組みによって、酸素濃縮装置は患者に連続的に高濃度酸素ガスを提供することができる。【０００４】
在宅酸素療法を受ける患者の主疾患は慢性閉塞性肺疾患（以下、ＣＯＰＤ：Ｃｈｒｏｎｉｃ  Ｏｂｓｔｒｕｃｔｉｖｅ  Ｐｕｌｍｏｎａｒｙ  Ｄｉｓｅａｓｅ）である。ＣＯＰＤとは気管支の狭窄や肺胞壁の破壊により、咳・痰や労作時呼吸困難の症状を呈する不可逆性疾患である。【０００５】
ＣＯＰＤの症状が悪化すると息切れや呼吸数の増加が見られ、ＣＯＰＤの急性増悪と呼ばれる「安定期の治療の変更あるいは追加が必要な状態」まで症状が悪化することもある。ＣＯＰＤの急性増悪が起こると入院するケースが多く、呼吸不全に陥ることや生命の危機に直面することもある。また、退院できたとしても入院以前より安定期の症状が悪化し、入退院を繰り返すことも珍しくない。【０００６】
ゆえに、ＣＯＰＤ急性増悪の入院する程度まで症状が悪化する前に早期治療を施すことが非常に重要であり、在宅酸素療法において患者の呼吸情報は患者の病態を把握するうえで非常に有益な情報元となる。【０００７】
一方、患者は医師が診断した処方流量に従って濃縮酸素ガスの吸入することも非常に重要である。しかし、睡眠時にカニューラがずれたり、作業中にチューブが外れたりすることで正しく酸素吸入できていないことはしばしば起こり、酸素濃縮装置が運転中であっても患者自身がなにかしらの理由で意図的にカニューラを外すこともある。いずれにしても、酸素濃縮装置が運転していても患者が酸素吸入できていない状況は患者の病態悪化を招く危険性がある。【０００８】
従って、酸素濃縮装置運転中に酸素濃縮器内部で患者の呼吸情報を取得できれば、従来の一般的な酸素濃縮装置と比較して使用感が変わらず患者の呼吸情報を取得できるだけなく、酸素濃縮装置と患者が酸素供給チューブで繋がれていることや患者の使用実態を確認できるため、非常に有用な手段である。
【先行技術文献】
【特許文献】
【０００９】
【特許文献１】特開平６−１９００４５号公報
【特許文献２】特開２００１−２８６５６６号公報
【特許文献３】特開平７−９６０３５号公報
【特許文献４】特開２０１５−８５１９１号公報
【特許文献５】特表２０１１−５１８０１６号公報
【発明の概要】
【発明が解決しようとする課題】
【００１０】
酸素濃縮装置運転中に患者の呼吸情報を取得する方法として、特許文献１、特許文献２に示されているように酸素濃縮装置と患者が装着しているカニューラまでの間に呼吸計測用の微差圧センサを取り付け酸素吸入中の患者呼吸圧を計測する方法がある。しかしながら、本願発明者らが鋭意検討を行った結果、差圧測定系に付加される圧力変動には濃縮酸素ガス生成時の加減圧に伴う圧力変動が含まれることが明らかとなった。酸素濃縮装置は先に述べたようにＰＳＡ式動作方法となっており、それに伴い供給酸素流量も変動しているため、酸素供給経路内ではＰＳＡに伴う圧変動が常時発生している。そのため、単純に微差圧センサにて患者呼吸圧を計測する環境では、ＰＳＡに伴う圧変動をベースに患者呼吸圧が検出されることになり、患者の呼吸情報を精度よく取得することができない。特にこれは、延長チューブを追加した際や３．０Ｌ／分以上流量範囲では、患者呼吸情報の取得が不可能になる。【００１１】
また、特許文献３、特許文献４においては、微差圧センサにて酸素吸入中の患者呼吸圧を計測した後、得られた呼吸圧データをソフト処理して患者呼吸情報を求める方法がある。しかしながら、これらの従来技術においては患者呼吸圧に重畳されているＰＳＡに伴う圧変動を考慮していないため、患者の呼吸情報を精度よく取得することができない。【００１２】
一方、特許文献５においては得られた呼吸圧データを周波解析して呼吸情報を取得する方法が記されている。しかしながら、周波数解析では呼吸成分とＰＳＡに伴う圧変動成分の切り分けが難しく、精度が悪いという欠点がある。【００１３】
以上のことから、酸素濃縮装置運転中に患者の呼吸情報を取得するためには、患者呼吸圧を計測したデータから患者呼吸成分とＰＳＡに伴う圧変動成分とを切り分ける必要がある。
【課題を解決するための手段】
【００１４】
本発明者は、かかるこれまでの酸素濃縮装置運転中に患者の呼吸情報を取得する方法における前述の課題を解決するために鋭意研究した結果、本発明に到達した。【００１５】
すなわち本発明は、複数の吸着筒を切り替えて使用するＰＳＡ式酸素濃縮装置に用いられる呼吸情報取得装置において、前記ＰＳＡ式酸素濃縮装置から患者に酸素が供給されている状態の酸素供給経路内の周期的な圧変動である第１圧力と、前記ＰＳＡ式酸素濃縮装置から患者に酸素が供給されない状態の前記酸素供給経路内の周期的な圧変動である第２圧力と、を計測する呼吸情報取得手段と、前記第１圧力と前記第２圧力と、の位相を合わせる位相確認手段と、前記位相を合わせた状態で、前記第１圧力と前記第２圧力と、の差分を算出する差分処理手段と、を備えた呼吸情報取得装置である。【００１６】
前記位相確認手段は、前記第１圧力の圧変動の１周期分のデータと前記第２圧力の圧変動の１周期分のデータと、を算出して位相を合わせる手段であってもよい。
前記位相確認手段は、前記第１圧力と前記第２圧力のピーク圧を検出し、ピーク圧の位相を合わせる手段であってもよい。
前記酸素供給経路内に、前記ＰＳＡ式酸素濃縮装置から前記患者への酸素供給を許可または遮断する切替弁を備えていてもよい。
前記呼吸情報取得手段は微差圧センサを備え、前記酸素供給経路内の任意点と一定圧との両端で差圧を計測してもよい。【００１７】
本発明はまた、複数の吸着筒を切り替えて使用するＰＳＡ式酸素濃縮装置から患者に酸素が供給されている状態の酸素供給経路内の周期的な圧変動である第１圧力と、前記ＰＳＡ式酸素濃縮装置から患者に酸素が供給されない状態の前記酸素供給経路内の周期的な圧変動である第２圧力と、を計測する呼吸情報取得処理と、前記第１圧力と前記第２圧力と、の位相を合わせる位相確認処理と、前記位相を合わせた状態で、前記第１圧力と前記第２圧力と、の差分を算出する差分処理と、を備えた呼吸情報取得方法である。
【発明の効果】
【００１８】
本発明によれば、酸素濃縮装置運転中に患者呼吸成分とＰＳＡに伴う圧変動成分とを切り分けて患者の呼吸情報を取得することができる。
【図面の簡単な説明】
【００１９】
【図１】実施形態１に係る酸素濃縮装置の構成を示す図である。
【図２】実施形態１に係る患者の呼吸情報を取得する形態を示す図である。
【図３】連続流１ＬＰＭ・延長チューブを１０ｍ追加した条件における、患者呼吸情報を含んだ圧データを示す図である。
【図４】連続流１ＬＰＭ・延長チューブを１０ｍ追加した条件における、予め記録しておいたＰＳＡ圧データを示す図である。
【図５】連続流１ＬＰＭ・延長チューブを１０ｍ追加した条件における、差分処理後の患者呼吸情報を示す図である。
【図６】連続流３ＬＰＭ・延長チューブを１０ｍ追加した条件における、患者呼吸情報を含んだ圧データを示す図である。
【図７】連続流３ＬＰＭ・延長チューブを１０ｍ追加した条件における、予め記録しておいたＰＳＡ圧データを示す図である。
【図８】連続流３ＬＰＭ・延長チューブを１０ｍ追加した条件における、差分処理後の患者呼吸情報を示す図である。
【図９】実施形態１に係る処理を示したフローチャートである。
【発明を実施するための形態】
【００２０】
以下、図面を参照して本発明の実施の形態を説明する。
【００２１】
［実施形態１のハードウェア構成］
図１を用いて本実施形態に関わるＰＳＡ式酸素濃縮装置の構成を説明する。
【００２２】
ＰＳＡ式酸素濃縮装置１は、ＰＳＡ式酸素濃縮装置１の外部から空気を取り込んで濃縮酸素ガスを生成する酸素生成部１１を備える。
【００２３】
酸素装置外部から酸素生成部１１に取り込まれた空気はコンプレッサー１１１で圧縮され、第１切替弁１１２を介してシリンダー１１３に送られる。第１切替弁１１２は、複数のシリンダー１１３のいずれかとコンプレッサー１１１を連通することでシリンダー１１３に圧縮空気を送り込むとともに、その他のシリンダーを大気に開放する。シリンダー１１３には窒素ガスを選択的に吸着する吸着剤が充填されている。シリンダー１１３を通過した圧縮空気は窒素ガス濃度が低下し、濃縮酸素ガスとなる。濃縮酸素ガスは第２切替弁１１４を介して濃縮酸素バッファタンク１１５に貯蔵される。第２切替弁１１４は複数のシリンダー１１３のいずれかと濃縮酸素バッファタンク１１５とを連通または遮断する。
【００２４】
酸素生成部１１は、第１切替弁１１２によりコンプレッサー１１１と複数のシリンダー１１３のいずれかを連通させるとともに、第２切替弁１１４により該コンプレッサー１１１と連通したシリンダー１１３と濃縮酸素バッファタンク１１５を連通させる。したがって、コンプレッサー１１１と複数のシリンダー１１３のいずれかと濃縮酸素バッファタンク１１５が連通され、生成された濃縮酸素ガスが濃縮酸素バッファタンク１１５に供給される。他方、コンプレッサー１１１と連通しないシリンダー１１３は、第２切替弁１１４により濃縮酸素バッファタンク１１５からと遮断された状態で、第１切替弁１１２を介して大気開放される。これにより、シリンダー１１３内が減圧し、吸着剤に吸着された窒素ガスを酸素濃縮装置外部に放出する。
【００２５】
通常、シリンダー１１３に圧縮空気が送られた後は、第１切替弁１１２によって該コンプレッサー１１１と遮断された状態になり大気解放される。反対に、大気解放されていたシリンダー１１３は、第１切替弁１１２によって該コンプレッサー１１１に連結され、酸素圧縮の過程に移行する。このように、第１切替弁１１２によって複数のシリンダー１１３が交互に圧縮と大気解放を繰り返すことで、連続的に濃縮酸素ガスを供給することができる。
【００２６】
濃縮酸素生成に伴うシリンダー１１３内部の圧力変化は非常に大きいため、シリンダー１１３の切り替えに伴って、シリンダー１１３下流の酸素ガス流路中の圧力には周期的な圧力変動が生じる。濃縮酸素バッファタンク１１５に貯蔵された濃縮酸素ガスは調圧弁１１６により該圧力変動が減衰されるように調整される。
【００２７】
酸素生成部１１で圧力調整された濃縮酸素ガスは、コントロールバルブ１２１と流量計１２２から成る酸素流量制御部１２で酸素流量が制御され、加湿器１０１を介して酸素供給口１３より酸素濃縮装置外に供給される。なお、酸素流量制御部１２においてコントロールバルブ１２１と流量計１２２はどちらが流路の上流に備えられていてもよく、また酸素流量制御部１２にはその他の構成が含まれていても構わない。酸素濃縮器１は加湿器１０１を備えない構成とすることも可能である。
【００２８】
図２は本発明の実施形態の一例を模式的に示したものであり、患者の呼吸情報を取得する形態の一例である。
【００２９】
酸素濃縮装置１で生成された酸素は、延長チューブ２、鼻カニューレ３を経由して患者に供給される。一方、患者は酸素吸入中も常時呼吸をしており、患者の呼吸によって生じる圧変化が鼻カニューラ３や延長チューブ２、酸素濃縮装置１の方へ伝搬される。
【００３０】
本実施形態においては、患者の呼吸圧を取得すべく、酸素供給経路内に呼吸情報取得手段４を接続する。図２では、一例として呼吸情報取得手段４が延長チューブに接続される場合を示す。ただし、呼吸情報取得手段４は加湿器１０１（酸素濃縮装置１が加湿器１０１を備えない場合は酸素流量制御部１２）と鼻カニューレ３の間に接続されていればよい。また呼吸情報取得手段４は酸素濃縮装置１の内部に設置されていてもよく、酸素濃縮装置１とは別体に酸素濃縮装置１の外部に設置されていてもよい。
【００３１】
本願発明者らが鋭意検討を行った結果、調圧弁１１６によって圧力変動を減衰した後であっても、呼吸情報取得手段４に付加される圧力変動には濃縮酸素ガス生成時の加減圧に伴う圧力変動が含まれることが明らかとなった。この濃縮酸素ガス生成時に生じる圧力変動の振幅は呼吸圧力の振幅に比べて大きく、また呼吸圧力の振幅も酸素流路を通ることによる圧損で低下するため、呼吸情報取得手段４で計測される圧力から直接患者の呼吸圧力波形を計測することは困難である。
【００３２】
この課題を解決するため本実施形態においては、呼吸情報取得手段４は、オリフィス５と、微差圧センサ６と、制御部７を備える。
【００３３】
微差圧センサ６の一端は延長チューブ２に設けられた酸素供給経路内の分岐点に接続されている。すなわち微差圧センサ６の一端には、濃縮酸素ガス生成時の加減圧に伴う圧力変動と患者の呼吸圧力の双方を含む酸素供給経路内の圧力が直接入力されている。微差圧センサ６と酸素供給経路の分岐点の間には大気に連通する大気連通路が設けられており、大気連通路には第３切替弁８が設けられている。第３切替弁８は可変流量弁であり、その流量を調整することで微差圧センサ６に供給される圧力を調整する。
【００３４】
微差圧センサ６の他端は、オリフィス５を介して酸素供給経路に接続されている。患者の呼吸圧は通常±１０〜１００Ｐａ程度であるため、呼吸情報取得手段４にて呼吸圧を取得する為には微差圧センサ6はレンジ±100Ｐａ程度のセンサを用いるのが好ましい。酸素濃縮装置から酸素が供給されている状況では、酸素供給による供給圧が常に生じており、これは１ＬＰＭでも３００Ｐａ程度存在する。そのため微差圧センサ６の他端を大気解放した状態で、上述のように微差圧センサ６の一端を酸素供給経路に接続すると、微差圧センサ６のレンジをオーバーしてしまう。そのため、オリフィス５経由後の圧を微差圧センサ６の他端に印加することで、患者の呼吸情報を含んだ圧を微差圧センサ６のレンジ範囲内で取得することが好ましい。
【００３５】
なお、上述のように微差圧センサ６の他端には微差圧センサ６のレンジをオーバーしない程度の圧力が印加されていればよく、その方法は本実施形態の例に限定されない。
【００３６】
微差圧センサ６には制御部７が接続されている。制御部７は入出力インタフェースと第１メモリと第２メモリとＣＰＵ（中央演算装置）を備える。制御部７は微差圧センサ６で検出された患者の呼吸情報を含んだ圧を受け取って記録し、後述の処理を実行することで患者の呼吸情報を取得する。なお、第１メモリと第２メモリとは別体のメモリであってもよいし、単一のメモリ上を仮想的に分割したものであってもよい。
【００３７】
延長チューブ２の、酸素供給経路の分岐点よりも下流側には、第４切替弁９が設けられている。第４切替弁は遮断弁であり、鼻カニューレ３への酸素供給を許可または遮断する。
【００３８】
［実施形態１で行われる処理の原理］
図２に示す構成を用いて鼻カニューラ３から患者呼吸モデルの呼吸圧（呼気圧：３０Ｐａ、吸気圧：−５０Ｐａ、ＢＰＭ２０回）を印加し、呼吸情報を取得したデータを用いて、本実施形態で行われる処理の原理について説明する。
【００３９】
連続流１ＬＰＭ（ｌｉｔｔｅｒ  ｐｅｒ  ｍｉｎｕｔｅ：リットル／分）、呼吸情報取得手段４の下流側に延長チューブ２を１０ｍ接続した時に取得しデータ群を図３、図４、図５に示す。連続流とは、濃縮酸素ガス供給方式のひとつで、連続的に一定流量の濃縮酸素ガスを供給する方式である。図３は患者の呼吸情報と酸素濃縮装置のＰＳＡ圧データとを含んだ圧データを示しており、そのうち計測開始から０〜約１５秒の期間は患者呼吸圧を印加せずに酸素濃縮装置のＰＳＡ圧のみを計測する時間帯のデータとなっている。
【００４０】
図４は予め取得して記憶媒体に記録しておいた酸素濃縮装置のＰＳＡ圧データを示している。ここで酸素濃縮装置によるＰＳＡ圧とは、上述したＰＳＡ式酸素濃縮装置により酸素を生成する際に発生するＰＳＡ式酸素濃縮装置の吸着筒周期に伴う周期的な圧変化である。したがって、ＰＳＡ圧の波形の周期は酸素濃縮装置の吸着筒切替周期と一致している。
【００４１】
図４に示すように、ＰＳＡ圧の振幅は２０Ｐａ程度となっている。図３においては、ＰＳＡ圧に対して患者呼吸圧が重畳されているが、この条件では患者呼吸モデルの呼吸圧よりもＰＳＡ圧の方が相対的に大きいため、患者呼吸モデルの呼吸圧はＰＳＡ圧にかき消されてしまい観察することができない。そこで本願発明者らは鋭意検討を重ね、患者呼吸モデルの呼吸圧を得るために図３の成分から図４の成分をソフトウェア上で差し引くことによりＰＳＡ圧成分のみを除去する方法を考案した。
【００４２】
両者の位相が合っている状態で、ソフトウェアにて差分処理をした結果を図５に示す。なお差分処理とは、任意時刻における両データの差を計算する処理である。上述のように、０〜約１５秒までの時間は患者呼吸モデルの呼吸圧を印加しておらず、酸素濃縮装置が運転している状態であるため、特徴的な波形は見られない。一方、約１５秒以降には振幅約２０Ｐａの周期的な圧変動が観測できる。すなわち、患者呼吸モデルの呼吸圧を検出することができている。このように、ソフト差分処理を実施することで、酸素濃縮装置から鼻カニューラと延長チューブ１０ｍを介して酸素を連続的に１ＬＰＭ吸入している状況下においても患者の呼吸情報が取得可能である。
【００４３】
連続流３ＬＰＭ、呼吸情報取得手段の下流側に延長チューブ１０ｍを接続した時に取得したデータ群を図６、図７、図８に示す。
【００４４】
図６は図３と同様に患者の呼吸情報と酸素濃縮装置のＰＳＡ圧データとを含んだ圧データを示しており、そのうち計測開始から０〜約１０秒の期間は患者呼吸圧を印加せずに酸素濃縮装置のＰＳＡ圧のみを計測する時間帯のデータとなっている。
【００４５】
図７は予め取得して記憶媒体に記録しておいた酸素濃縮装置のＰＳＡ圧データを示している。図７と図４と比較して波形の形が変化しているのは、濃縮酸素を生成する際の吸着材にて窒素を吸脱着する駆動サイクルが、生成する酸素供給流量ごとで異なるためである。
【００４６】
図３と同様、図６においても、ＰＳＡ圧に対して患者呼吸モデルの呼吸圧が重畳されているが、該条件でも患者呼吸モデルの呼吸圧よりもＰＳＡ圧の方が相対的に大きいため、患者呼吸モデルの呼吸圧はＰＳＡ圧にかき消されてしまい観察することができない。図５と同様に、両データの位相を合わせた状態で差分処理した結果を図８に示す。図５と同様に、呼吸圧が印加されている測定開始約１０秒以降から周期的にみられている振幅２０Ｐａ程度の圧変動が観測できる。すなわち、患者呼吸モデルの呼吸圧を検出することができている。このように、上述した方法によれば、延長チューブを１０ｍ追加したり、供給酸素流量を３ＬＰＭにしたりした条件においても精度よく患者の呼吸情報を取得できることがわかる。
【００４７】
［実施形態１で行われる処理］
ステップＳ１において、酸素濃縮装置１の電源をＯＮにすると、酸素濃縮装置１は運転を開始し濃縮酸素ガスの供給を開始する。同時に、制御部７は、酸素供給経路内の圧データである差圧センサ６の計測値を受け取って記録を開始する。さらに、制御部７は計測開始（電源ＯＮ）からの時間のカウントを開始してステップＳ２に進む。本実施形態においては、酸素供給経路内の圧から、図４および図７に示したデータに相当する患者呼吸情報を含まないＰＳＡ圧データを取得する。具体的には、ステップＳ２において、ステップＳ１における酸素供給経路内に係る圧データの計測を開始した後、所定時間が経過したか否かを判断する。所定時間は、少なくともＰＳＡ圧周期の１周期分の圧データを取得することが可能な程度の長さで設定される。ここで、患者の呼吸周期は通常３秒程度、長くても６秒程度である。ＰＳＡ圧周期が６秒以上の場合は、ＰＳＡ圧の１周期分の測定データには少なくとも１周期分以上の患者呼吸情報が含まれる。一方、ＰＳＡ圧周期が６秒未満の場合は、ＰＳＡ圧の１周期分の測定データに１周期分以上の患者呼吸情報が含まれないため、所定時間は６秒以上が好ましい。
【００４８】
なお、ＰＳＡ圧データは電源ＯＮとする毎に計測することなく、予め制御部７のメモリに記録しておいた所定値を用いることも可能である。しかし、酸素濃縮装置１の使用に伴う吸着材の経年劣化が起きた場合、窒素の吸着量は劣化につれて減少する。すると、本来吸着できていたはずの窒素がシリンダー内に気体として存在することになるので、シリンダー内の気体圧が増加して、結果的にＰＳＡ圧も高くなっていくと考えられる。したがって例えば酸素濃縮装置の出荷前に設定したＰＳＡ圧データの所定値は、経年劣化後の実際のＰＳＡ圧データとの間に乖離が生じる。すると後の工程で差分処理をしたときに、ＰＳＡ圧データの乖離分がノイズとなり、算出される呼吸情報の精度が低下する可能性がある。そのため、ＰＳＡ圧データは電源ＯＮとする毎に毎回計測することが好ましい。
【００４９】
ステップＳ２において所定時間が経過していないと判断された場合は、ステップＳ３に進み、第４切替弁９を閉じて第３切替弁８を開放する。このとき、第３切替弁８の開度は、延長チューブ２と鼻カニューレ３を合わせた圧力損失分となる所定開度とすることが好ましい。該所定開度は延長チューブの長さに応じて複数の所定開度のうちから選択するものとすることもできる。第４切替弁９を閉じることにより、微差圧センサ６は患者への酸素供給を遮断される。したがって、酸素供給経路内の圧から、患者呼吸情報を含まないＰＳＡ圧データを計測することができる。
【００５０】
その後ステップＳ４において、酸素供給経路内の圧データを制御部７の第１メモリと第２メモリに格納する。なお、切替弁の弁開度が安定した後にデータ取得した方が信頼性のあるデータがとれるため、計測開始から一定時間、例えば０．１秒以上経過してからデータ取得を開始してもよい。制御部７は、酸素供給経路内に係る圧データの計測を開始した後、所定時間が経過するまではステップＳ３およびステップＳ４の処理を繰り返す。すなわち、少なくともＰＳＡ圧周期の１周期分の圧データを含む期間、患者呼吸情報を含まないＰＳＡ圧データを第１メモリと第２メモリに記録する。
【００５１】
ステップＳ２において所定時間が経過されたと判断された場合、処理はステップＳ５に進み、第３切替弁８を閉じて第４切替弁９を完全に開放する。これにより、患者への酸素供給を開始する。そしてこれ以後は、微差圧センサ６の計測値は患者の呼吸情報を含むこととなる。
その後、ステップＳ６において酸素供給経路内に係る圧データを第１メモリに格納する。
【００５２】
ステップＳ７において、ステップＳ８の差分処理に先だって、第１メモリに格納してあるデータと第２メモリに格納してあるデータとの位相を確認し、必要な場合は位相を合わせる位相確認処理を行う。
【００５３】
上述の本実施形態で行われる処理の原理の説明においては、図３と図４のデータは位相が合った状態であることを前提として説明した。しかし、実際は図３と図４のデータはそれぞれ取得したタイミングが異なる場合があり、その場合は二つのデータの位相が異なる。位相が異なっている状態で差分処理をすると、位相がずれていた部分がノイズとなって出力され、最終的に呼吸情報取得時の精度が落ちてしまう。そのため、ソフトウェア上で差分処理をするためには両者の位相が合っていることを確認する必要がある。ここで、二つのデータの位相があっている状態とは、制御部７にて計測した両データの圧ピーク（極大値）を示している時間データ成分が一致している状態である。位相が合っていない場合、位相を合わせる方法としては、両データのＰＳＡ圧ピーク値を揃える方法や、両データの圧波形を時間微分して計測圧の時間変化が大きい地点で時間データ成分を揃える方法などがある。
【００５４】
本実施形態においては、まず、制御部７は第１メモリに格納してあるデータからＰＳＡ圧周期の１周期分ごとにデータを取り出す。具体的には、第１メモリに格納してある圧データのピーク（極大値）と次のピークの時間間隔がＰＳＡ圧周期の１周期分に相当するため、第１メモリに格納してあるデータのピークをそれぞれ検出し、ピークと次のピークの時間間隔を求めて、ピークと次のピークの時間間隔ごとでデータを取り出す。なお、上述のように計測開始から一定時間経過したデータの方が信頼性が高いことから、計測開始から一定時間経過するまでのデータは用いないこととしてもよい。これは第２メモリに格納してあるデータについても同様である。一方で、制御部７は第２メモリに格納してあるデータから、同様の方法にてＰＳＡ圧周期１周期分のデータであるＰＳＡ圧周期データを取り出す。
【００５５】
ステップＳ８において、ステップＳ７にて位相を合わせたＰＳＡ圧周期の１周期分ごとに取り出された第１メモリに格納してあるデータと第２メモリに格納してあるデータから取り出されたＰＳＡ圧周期データとの差分処理を行う。これにより、ＰＳＡ圧周期の１周期分の患者呼吸情報を有するデータが得られる。
【００５６】
なお、位相確認処理および差分処理はＰＳＡ圧周期の１周期分のデータ長で実行する必要はなく、第１メモリに格納してあるデータからＰＳＡ圧周期の所定回数周期分ごとにデータを取り出すとともに、第２メモリに格納してあるデータから取り出されたＰＳＡ圧測定データを所定回数周期分つなぎ合わせたデータを作成し、両データを用いて差分処理に用いるＰＳＡ圧データを作成することもできる。
【００５７】
ステップＳ９において、ステップＳ８において取得した患者呼吸情報を有するデータを解析して患者呼吸情報、例えば呼吸の強弱や呼吸頻度を取得する。さらに、各々のＰＳＡ圧周期の１周期分の患者呼吸情報を有するデータをつなぎ合わせれば、電源ＯＮからの全期間に関する患者の呼吸情報を有するデータを得ることができ、これを用いて平均的な呼吸の強さや使用時間内における呼吸数を取得することができる。
【００５８】
ステップＳ１０において、酸素濃縮装置の電源がＯＦＦか否かを判断する。ステップＳ１０において、酸素濃縮装置の電源がＯＦＦと判断されない場合は、ステップＳ５に戻り、ステップＳ６からステップＳ９の処理を繰り返す。
ステップＳ１０において、酸素濃縮装置の電源がＯＦＦと判断された場合は、該フローチャートを終了する。
【００５９】
以上説明したように、本実施形態によれば、酸素濃縮装置運転中に患者呼吸圧を計測したデータから患者呼吸成分とＰＳＡに伴う圧変動成分とを切り分けて患者の呼吸情報を取得することができる。
【符号の説明】
【００６０】
１：酸素濃縮装置
１１：酸素生成部
１２：酸素流量調整部
１３：酸素供給口
１１１：コンプレッサー
１１２：切替弁
１１３：シリンダー
１１４：切替弁
１１５：濃縮酸素バッファタンク
１１６：調圧弁
１２１：コントロールバルブ
１２２：流量計
１０１：加湿器
２：延長チューブ
３：鼻カニューレ
４：呼吸情報取得手段
５：オリフィス
６：微差圧センサ
７：制御部
８：第３切替弁
９：第４切替弁
【図１】
2018180392.tif 000003
【図２】
2018180392.tif 000004
【図３】
2018180392.tif 000005
【図４】
2018180392.tif 000006
【図５】
2018180392.tif 000007
【図６】
2018180392.tif 000008
【図７】
2018180392.tif 000009
【図８】
2018180392.tif 000010
【図９】
2018180392.tif 000011
【国際調査報告】
2018180392.tif 000012
2018180392.tif 000013
2018180392.tif 000014
2018180392.tif 000015